(57)【要約】  【課題】比較的薄肉な紙素材を用いて、流通時には扁平に折り畳むことができ、使用時には簡単に組み立ててカレンダーとしての機能のみならずペン立てとしての機能も適正に発揮することができ、ペン類を使い易く類別するための仕切り板も不都合なく配置することができる新規有用な卓上カレンダーを提供する。  【解決手段】紙素材を折り曲げることにより構成され一部に筆記具Ｗの収納空間１Ａを形成してなる外側部材１と、同じく紙素材を折り曲げることにより構成され外側部材１の内側に収容されて収納空間１Ａを区画する仕切り部材２とを具備し、外側部材１の収納空間１Ａを形成する底壁１２に立片１５を設け、この立片１５に係り合わせるようにして仕切り部材２を位置決め状態で配置することにより卓上カレンダーＰを構成することとした。  【選択図】図１
2006001062.tif 000002
【特許請求の範囲】
【請求項１】
紙素材を折り曲げることにより構成され一部に筆記具の収納空間を形成してなる外側部材と、同じく紙素材を折り曲げることにより構成され前記外側部材の内側に収容されて前記収納空間を区画する仕切り部材とを具備し、前記外側部材の収納空間を形成する底壁に立片を設け、この立片に係り合わせるようにして前記仕切り部材を位置決め状態で配置してなることを特徴とする卓上カレンダー。
【請求項２】
仕切り部材が、山折りすることによって重合される一対の仕切り板部と、これら各仕切り板部の縁部より背向する方向に延出して外側部材の収納空間を形成する左右の側壁間に配置される当該仕切り部材の壁部とを具備し、一対の仕切り板部の間に外側部材の立片を挟み込むように挿入している請求項１記載の卓上カレンダー。
【請求項３】
外側部材の前壁に内側を表示領域とする開口窓を設け、この開口窓の周囲に位置する窓枠と仕切り部材の壁部との間に、カレンダーの保持部を形成している請求項２記載の卓上カレンダー。
【請求項４】
紙素材を折り曲げることにより構成され一部に筆記具の収納空間を形成してなる外側部材と、同じく紙素材を折り曲げることにより構成され前記外側部材の内側に収容されて前記収納空間を区画する仕切り部材とを具備し、前記外側部材の収納空間が、当該収納空間を形成する底壁に近づくほど拡開し、前記仕切り部材の少なくとも一部が、底壁に近づくほど前記収納空間に対応して拡開していることを特徴とする卓上カレンダー。
【請求項５】
収納空間を形成する前壁及び後壁が底壁に向かってテーパ状に拡開し、仕切り部材の前後幅も前記前壁及び後壁に沿ってテーパ状に拡開している請求項４記載の卓上カレンダー。
【請求項６】
外側部材及び仕切り部材を接着剤やステープル等の止着具を用いることなく組立てている請求項１〜５記載の卓上カレンダー。
【発明の詳細な説明】
【技術分野】
【０００１】
本発明は、簡易に構成できてペン立てとしての機能も適切に備え併せた卓上カレンダーに関するものである。
【背景技術】
【０００２】
従来より、カレンダーとして、種々のものが開発され利用に供されている。このうち卓上カレンダーは、フォトスタンドと同様のスタンド機能を備え、卓上に載せ置いた状態でスタンドによりカレンダーを立位姿勢に支持するように構成されるものが少なくない。
【０００３】
ところが、一般にカレンダーは、ペン等で予定を書き込むことが多いことから、ペン立てとしての機能を備え併せていれば便利である。通常のペン立ては、素材的には樹脂製やスチール製のものが一般的であるが、材料費や加工費、運搬・保管・廃棄の便などを考え、また筆記具の重量等を勘案すると、紙素材でも十分に構成できて、通用することが予想される。
【０００４】
そこで、例えば特許文献１等に例示されるような、広く普及しているダンボール箱の如き包装箱の構造を、この種の卓上カレンダーに転用してペン立ての機能を備える卓上カレンダーとすることが一つの有効な手段として考えられる。
【特許文献１】特開平１１−１２４１２５号公報
【発明の開示】
【発明が解決しようとする課題】
【０００５】
ところで、特許文献１に例示されるこの種の包装箱は、底壁及び前後左右の立壁からなり上方に開放された筐体本体の上に蓋体が設けられ、必要な場合に収納空間に仕切り板が接着剤によって固定される。
【０００６】
しかしながら、包装箱は主として流通過程で収納空間の機能が発揮されるのに対して、卓上カレンダーは流通後に収納空間の機能が発揮されるものである。このため、卓上カレンダーにおいては、筐体本体はさほど頑丈である必要はなく、流通時には扁平に折り畳むことができ、使用時には簡単に組み立てて、ペン類を使い易く類別するための仕切り板も不都合なく配置して使用できるものであることが望まれる。
【０００７】
本発明は、このような機能を備えた新規有用な卓上カレンダーを提供することを目的としている。
【課題を解決するための手段】
【０００８】
本発明は、上記の目的を達成するために、次のような手段を講じたものである。
【０００９】
先ず、第１の発明に係る卓上カレンダーは、紙素材を折り曲げることにより構成され一部に筆記具の収納空間を形成してなる外側部材と、同じく紙素材を折り曲げることにより構成され前記外側部材の内側に収容されて前記収納空間を区画する仕切り部材とを具備し、前記外側部材の収納空間を形成する底壁に立片を設け、この立片に係り合わせるようにして前記仕切り部材を位置決め状態で配置してなることを特徴とする。
【００１０】
このような構成のものであると、外側部材に仕切り部材を収容するだけでペン立ての機能を備えた卓上カレンダーを構成でき、両部材が重合することから紙素材自体を比較的薄肉なもので構成しても所要の強度を確保することが容易となる。また、接着作業や差込等の構造を要さずに仕切り部材を外側部材の立片と係わり合わせるだけで所定位置に位置決めすることができるので、流通時などには扁平に折り畳むことができ、組み立ても接着や差込構造等によることなく簡素にかつ外観の毀損を伴わずに行うことができて、仕切り部材の機能を適切に発揮させることが可能となる。
【００１１】
具体的な実施の態様としては、仕切り部材が、山折りすることによって重合される一対の仕切り板部と、これら各仕切り板部の縁部より背向する方向に延出して外側部材の収納空間を形成する左右の側壁間に配置される当該仕切り部材の壁部とを具備し、一対の仕切り板部の間に外側部材の立片を挟み込むように挿入しているものが挙げられる。
【００１２】
このような二重構造を利用すると、外側部材の前壁に内側を表示領域とする開口窓を設け、この開口窓の周囲に位置する窓枠と仕切り部材の壁部との間に、カレンダーの保持部を有効に形成することができる。
【００１３】
また、第２の発明に係る卓上カレンダーは、紙素材を折り曲げることにより構成され一部に筆記具の収納空間を形成してなる外側部材と、同じく紙素材を折り曲げることにより構成され前記外側部材の内側に収容されて前記収納空間を区画する仕切り部材とを具備し、前記外側部材の収納空間が、当該収納空間を形成する底壁に近づくほど拡開し、前記仕切り部材の少なくとも一部が、底壁に近づくほど前記収納空間に対応して拡開していることを特徴とする。
【００１４】
このようなものであると、比較的薄肉な紙素材を用いてもペン立てとしての必要な強度を有する卓上カレンダーを有効に構成することができる。しかも、外側部材の収納空間が仕切り部材の一部とともに底壁に近づくほど拡開しているので、仕切り部材が底壁から離れる方向へ挙動を起こそうとしても、仕切り部材の一部が外側部材の内壁の適宜箇所に当接して、外側部材からの脱落が有効に禁止されることとなる。
【００１５】
具体的な実施の態様としては、収納空間を形成する前壁及び後壁が底壁に向かってテーパ状に拡開し、仕切り部材の前後幅も前記前壁及び後壁に沿ってテーパ状に拡開しているものが挙げられる。
【００１６】
本発明は、以上のような構成であるから、外側部材及び仕切り部材を接着剤やステープル等の止着具を用いることなく組立てても十分に耐用し得ることとなる。
【発明の効果】
【００１７】
本発明によれば、比較的薄肉な紙素材を用いて、流通時には扁平に折り畳むことができ、使用時には簡単に組み立ててペン立ての機能を備える卓上カレンダーを簡単に構成することができ、ペン類を使い易く類別するための仕切り板も不都合なく配置することができる新規有用な卓上カレンダーを提供することが可能となる。
【発明を実施するための最良の形態】
【００１８】
以下、本発明の一実施形態を、図面を参照して説明する。
【００１９】
この実施形態の卓上カレンダーＰは、図１及び図７に示すように、ボール紙等の紙素材を折り曲げることにより構成され一部に筆記具Ｗの収納空間１Ａを形成してなる外側部材１と、同じくボール紙等の紙素材を折り曲げることにより構成され前記外側部材１の内側に収容されて前記収納空間１Ａを区画する仕切り部材２とを具備する。
【００２０】
具体的に説明すると、外側部材１は、図２に示す展開状態で後壁１１の下縁に折罫１ａを介して底壁１２を連続させ、この底壁１２の前縁に折罫１ｂを介して前壁１３を連続させるとともに、後壁１１の左右の側縁に折罫１ｃ、１ｄを介して側壁１４を連続させている。また、この側壁１４の外側に折罫１ｅ、１ｆを介してスリット１６ａを有する前当接片１６を連続させ、前壁１３の左右の側縁に折罫１ｇ、１ｈを介して差込片１７を連続させ、側壁１４の下縁に折罫１ｉ、１ｊを介して底当接片１８、１９を連続させている。そして、図３に示すように、側壁１４を折罫１ｃ、１ｄにおいて後壁１１に対し略９０°谷折りし、前当接片１６及び底当接片１８、１９を折罫１ｅ、１ｆ、１ｉ、１ｊにおいて側壁１４に対し略９０°谷折りし、底壁１２を折罫１ａにおいて後壁１１に対し略９０°谷折りする。さらに、前壁１３を折罫１ｂにおいて底壁１２に対し図４に示すように略９０°谷折りする。このとき、予め図３の段階で前壁１３に対して折罫１ｇ、１ｈにおいて略９０°谷折りしておいた当該前壁１３に付帯する差込片１７を、前記前当接片１６の対応部位に設けたスリット１６ａに挿入する。差込片１７の付け根にはアンダーカット部１７ａが設けてあり、このアンダーカット部１７ａがスリット１６ａの上下何れかの縁部に係合することによって、差込片１７がスリット１６ａから容易に離脱することが禁止される。
【００２１】
このようにして組み立てられた図４に示す外側部材１は、側壁１４の前後縁が下方に向けて拡開するように設けられており、前壁１３及び後壁１１は底壁１２に近づくにつれてテーパ状に拡開した形態をなす。前壁１３は上向きコ字形をなしており、内側を開口窓１３ａとしている。後壁１１の上縁は前壁１３の上縁よりも高位に位置し、側壁１４の上縁はこれら前壁１３の上縁と後壁１１の上縁を接続すべく、後上方に向かって傾斜している。底当接片１８、１９は底壁１２の上面に密接に重合し、差込片１７は側壁１４の内面に密着する。
【００２２】
このような外側部材１において、この実施形態は更に、図２に示すように一方の底当接片１８に折罫１ｋを介して連続する位置に、立片１５を設けており、例えば図３の段階でこの立片１５を折罫１ｋにおいて底当接片１８に対し略９０°谷折りすることによって、図４に示す組立て状態において、この立片１５を底壁１２から起立した状態で配置している。この実施形態における立片１５の位置は、収納空間１Ａを幅方向に略１：２に内分する位置に設定されているが、本発明がこれに限定されるものではないことは勿論である。
【００２３】
これに対して、仕切り部材２は、図５に示す展開状態で一対の台形状をなす仕切り板部２１を折罫２ａを介して連続させ、両仕切り板部２１の前縁に折罫２ｂ、２ｃを介して前壁部２２、２３を連続させ、これらの前壁部２２、２３の側縁に折罫２ｄ、２ｅを介して側壁部２４、２５を連続させ、前記両仕切り板部２１の後縁に折罫２ｆ、２ｇを介して後壁部２６、２７を連続させている。そして、図６に示すように、一対の仕切り板部２１を折罫２ａにおいて略１８０°山折りすることによって重合させ、前壁部２２、２３を折罫２ｂ、２ｃにおいて略９０°谷折りすることによって背向する方向に延出させ、後壁部２６、２７を折罫２ｆ、２ｇにおいて略９０°谷折りすることによって背向する方向に延出させる。前壁部２２、２３の延出端に位置する側壁部２４、２５は、折罫２ｄ、２ｅにおいて略９０°谷折りすることによって仕切り板部２１に略平行に配する。仕切り部材２の前後幅は、前記外側部材１の前壁１３及び後壁１１に沿ってテーパ状に拡開している。
【００２４】
この仕切り部材２は、前記外側部材１の内側に収容された図１の状態で、外側部材１の立片１５に係り合うように位置決めされるものである。具体的には、仕切り部材２の前壁部２２、２３が外側部材１の収納空間１Ａを形成する左右の側壁１４、１４間に密接に位置し、かつ前壁部２２、２３の延出端近傍が外側部材１の前壁１３の内面に密着し、仕切り部材２の後壁部２６、２７が外側部材１の後壁１１の内面に密着し、仕切り部材２の側壁部２４、２５が外側部材１の側壁１４の内面に密着する。また、山折りに重合させた仕切り板部２１は、外側部材１の前壁１３と後壁１１の間に位置して、当該一対の仕切り板部２１、２１の間に外側部材１の立片１５を挟み込むように挿入する。前壁部２２、２３の幅寸法等は、立片１５との間にこのような関係が得られる値に設定されている。
【００２５】
仕切り部材２がこのように外側部材１に密接に収容されるものであるため、図３のように外側部材１の収納空間１Ａが開放されている状態で外側部材１の内側にこの仕切り部材２を収容し、その後に外側部材１の前壁１３を当該外側部材１の前当接片１６に当接させて収納空間１Ａを蓋封するのが好適である。勿論、外側部材１及び仕切り部材２は紙素材を折り曲げて構成されるものであるため、組み立てた状態の仕切り部材２を随所を適当に歪めながら組み立てた外側部材１の内部に収納する手順を踏むこともできないことはない。
【００２６】
そして、本実施形態は、外側部材１の前壁１３に設けた開口窓１３ａの内側を表示領域とし、その開口窓１３ａの周囲に位置する窓枠１３ｂと仕切り部材２の前壁部２２、２３との間を、図１に示すカレンダーＤの保持部３として利用するようにしている。すなわち、紙素材からなる当該カレンダーＤは、前壁１３の表示領域よりも大きく、窓枠１３ｂの外延よりも小さい外形寸法をなす限りにおいて、前記保持部３に有効に保持され、当該カレンダーＤの前面を前記表示領域において前方に表出させることができる。図示例のものは月次カレンダーであり、保持部３の隙間を狭小に構成する場合には月ごとに保持部３に対する差し替えを行えばよく、ある程度余裕のある隙間を構成する場合には１２ヶ月分を重合させて収容しておくこともできる。勿論、カレンダーには種々のものがあり、図示例に限定されるものではない。また、この卓上カレンダーＰは、仕切り部材２によって区画される収納空間１Ａにペンを立てることを主目的とはするものの、図７のように、一方の収納空間１Ａにペンを立て、他方の収納空間１Ａにメモ用紙Ｍ等の文具を収容することを妨げるものではない。すなわち、この実施形態においてペンと言うときには鉛筆、シャープペン、ボールペン、サインペン、万年筆等のほか、マーカーその他の筆記具Ｗが入るように広義に解釈され、収納空間１Ａはペン立てとしての機能を主としつつも、利用者の目的・用途に応じて、メモ用紙Ｍやカッター、定規その他の適宜の文具の収納に利用することができる。
【００２７】
以上のようにして、本実施形態の卓上カレンダーＰは、紙素材を折り曲げることにより構成され一部に筆記具Ｗの収納空間１Ａを形成してなる外側部材１と、同じく紙素材を折り曲げることにより構成され前記外側部材１の内側に収容されて前記収納空間１Ａを区画する仕切り部材２とを具備し、前記外側部材１の収納空間１Ａを形成する底壁１２に立片１５を設け、この立片１５に係り合わせるように前記仕切り部材２を位置決め状態で配置したものである。
【００２８】
このような構成のものであると、外側部材１に仕切り部材２を収容するだけでペン立ての機能を備える卓上カレンダーＰを有効に構成でき、両部材１、２が重合することから紙素材自体をボール紙のような比較的薄肉なもので構成しても所要の強度を確保することが容易となる。また、接着作業や差込等の構造を要さずに仕切り部材２を外側部材１の立片１５と係わり合わせるだけで所定位置に位置決めすることができるので、流通時などには外側部材１及び仕切り部材２を扁平に折り畳むことができ、組み立ても接着や差込構造等によることなく簡素かつ外観の毀損を伴なうことなく行うことができて、外側部材１との関係において仕切り部材２の機能を適切に発揮させることが可能となる。
【００２９】
また、本実施形態はその仕切り部材２を、山折りすることによって重合される一対の仕切り板部２１と、これら各仕切り板部２１の縁部より背向する方向に延出して外側部材１の収納空間１Ａを形成する左右の側壁１４間に配置される前壁部２２、２３とを具備し、一対の仕切り板部２１の間に外側部材１の立片１５を挟み込むように挿入している。
【００３０】
このような構造であると、仕切り部材２自体の位置ずれはその前壁部２２、２３が外側部材１の左右の側壁１４に当接することよって規制され、仕切り板部２１のバタつきのみが立片１５によって規制されるので、位置決めのために立片１５に掛ける負荷を極力小さいものにすることができる。また、一対の仕切り板部２１の間に立片１５が挿入されるので、立片１５は仕切り板部２１の何れの方向の変位に対しても規制機能を発揮し得ることになる。
【００３１】
さらに、本実施形態は、外側部材１の前壁１３に内側を表示領域とする開口窓１３ａを設け、この開口窓１３ａの周囲に位置する窓枠１３ｂと仕切り部材２の前壁部２２、２３との間に、カレンダーＤの保持部３を形成したものである。
【００３２】
このような構造であると、カレンダーＤの周囲が窓枠１３ｂと仕切り部材２の前壁部２２、２３との間に形成される保持部３によって挟持され、表示領域の背後に位置する仕切り部材２の前壁部２２、２３がカレンダーＤをバックアップする機能を果たすので、ペン立ての構造を有効利用しながら卓上にカレンダーＤを立位姿勢で有効に保持することが可能となる。
【００３３】
一方、本実施形態の卓上カレンダーＰは上記とは別の観点として、紙素材を折り曲げることにより構成され一部に筆記具Ｗの収納空間１Ａを形成してなる外側部材１と、同じく紙素材を折り曲げることにより構成され前記外側部材１の内側に収容されて前記収納空間１Ａを区画する仕切り部材２とを具備し、前記外側部材１の収納空間１Ａが、当該収納空間１Ａを形成する底壁１２に近づくほど拡開し、前記仕切り部材２の少なくとも一部が、底壁１２に近づくほど前記収納空間１Ａに対応して拡開しているものである。
【００３４】
このようなものであると、比較的薄肉な紙素材を用いてもペン立てとしての必要な強度を備え併せた卓上カレンダーＰを有効に構成することができる。しかも、外側部材１の収納空間１Ａが仕切り部材２の一部とともに底壁１２に近づくほど拡開しているので、仕切り部材２が底壁１２から離れる方向の挙動を起こそうとしても、仕切り部材２の一部が外側部材１の内壁の適宜箇所に当接して、外側部材１からの脱落が有効に禁止されることとなる。
【００３５】
特に、その具体的な実施の態様として、収納空間１Ａを形成する前壁１３及び後壁１１を底壁１２に向かってテーパ状に拡開させ、仕切り部材２の前後幅も前記前壁１３及び後壁１１に沿ってテーパ状に拡開させている。
【００３６】
このようなものであると、収納空間１Ａの上方の開口が底壁１２よりも小さくなり、無造作にペンを挿入してもペンの上部が前後に大きく傾くことが防止される。また、前壁１３が後傾していると、カレンダーＤを保持させた際に利用者から視認し易い状態が自然と得られることとなる。
【００３７】
本実施形態は、以上のような構成であるから、外側部材１及び仕切り部材２を接着剤やステープル等の止着具を用いることなく組立てても十分に耐用し得ることとなる。つまり、組み立て作業が簡素となり、分別廃棄の必要もなく、環境汚染につながる接着剤の使用等も有効に回避することが可能となる。
【００３８】
以上、本発明の一実施形態について説明したが、各部の具体的構成は、上述した実施形態のみに限定されるものではなく、本発明の趣旨を逸脱しない範囲で種々変形が可能である
【図面の簡単な説明】
【００３９】
【図１】本発明に係る一実施形態を示す斜視図。
【図２】同実施形態を構成する外側部材の展開状態を示す平面図。
【図３】同実施形態を構成する外側部材の組み立て過程を示す斜視図。
【図４】同実施形態を構成する外側部材の組み立て状態を示す斜視図。
【図５】同実施形態を構成する仕切り部材の展開状態を示す平面図。
【図６】同実施形態を構成する仕切り部材の組み立て状態を示す斜視図。
【図７】同実施形態の使用状態を示す斜視図。
【符号の説明】
【００４０】
Ｐ…卓上カレンダー
１…外側部材
１１…後壁
１２…底壁
１３…前壁
１３ａ…開口窓
１３ｂ…窓枠
１４…側壁
１５…立片
１Ａ…収納空間
２…仕切り部材
２１…仕切り板部
２２、２３…壁部（前壁部）
３…保持部
Ｄ…カレンダー
Ｗ…筆記具
【図１】
2006001062.tif 000003
【図２】
2006001062.tif 000004
【図３】
2006001062.tif 000005
【図４】
2006001062.tif 000006
【図５】
2006001062.tif 000007
【図６】
2006001062.tif 000008
【図７】
2006001062.tif 000009